(57)【要約】【課題】筆記状態にある軸筒の向きを変えることなく、摩擦体を簡単に使用できる状態にすることが可能な熱変色性筆記具を得る。【解決手段】軸筒の内部に筆記体が収容され、筆記体の内部に熱変色性インキが収容され、筆記体の前端に熱変色性インキが吐出可能なペン先を備えた熱変色性筆記具であって、軸筒の内部に、熱変色性インキの筆跡を摩擦しその際に生じる摩擦熱で該筆跡を熱変色可能な弾性材料からなる摩擦部を前方に有したスライダーが前後動可能に配設され、スライダーが軸筒の内部に配設した弾発体により後方へ弾発され、軸筒の前方の側面に設けられた窓部より突出するよう押圧体が装着され、軸筒の側面から突出した押圧体の外面を該軸筒の側面方向へ向かって押圧することにより、該押圧体で押圧されたスライダーが弾発体の弾発力に抗して前進し、摩擦部が前記軸筒の前方へ突出する熱変色性筆記具。【選択図】図２
2019116061.tif 000002
【特許請求の範囲】
【請求項１】
軸筒の内部に筆記体が収容され、前記筆記体の内部に熱変色性インキが収容され、前記筆記体の前端に熱変色性インキが吐出可能なペン先を備えた熱変色性筆記具であって、
前記軸筒の内部に、前記熱変色性インキの筆跡を摩擦しその際に生じる摩擦熱で該筆跡を熱変色可能な弾性材料からなる摩擦部を前方に有したスライダーが前後動可能に配設され、
前記スライダーが前記軸筒の内部に配設した弾発体により後方へ弾発され、
前記軸筒の前方の側面に設けられた窓部より突出するよう押圧体が装着され、
前記軸筒の側面から突出した前記押圧体の外面を該軸筒の側面方向へ向かって押圧することにより、該押圧体で押圧された前記スライダーが前記弾発体の弾発力に抗して前進し、前記摩擦部が前記軸筒の前方へ突出することを特徴とした熱変色性筆記具。
【請求項２】
前記スライダーに、前記摩擦部を前方に設けた連結杆が設けられ、
前記連結杆の巾が前記摩擦体の巾と略等しく形成され、
前記軸筒の前方が漸次縮径する斜面を有した先窄み形状であり、該軸筒の前方に前記摩擦部が係合する溝部が形成され、
前記押圧体を押圧することにより、前記摩擦部及び前記連結杆が前記溝部の内側面及び内天面に摺動して前進し、前記摩擦部が前記軸筒の前方へ突出した状態で、前記スライダーの連結杆が前記軸筒の溝部の内側面及び内天面に当接することを特徴とした請求項１に記載の熱変色性筆記具。
【請求項３】
前記摩擦部により前記熱変色性インキの筆跡を摩擦する際において、前記摩擦部の裏面が前記軸筒の前方の側面に当接して該摩擦部が支持されるよう、前記連結杆が弾性変形することを特徴とした請求項２に記載の熱変色性筆記具。
【発明の詳細な説明】
【技術分野】
【０００１】
本発明は、熱変色性筆記具に関する。詳細には、熱変色性インキが吐出可能なペン先と、前記熱変色性インキの筆跡を摩擦しその際に生じる摩擦熱で該筆跡を熱変色可能な摩擦体を備えた熱変色性筆記具に関する。
【背景技術】
【０００２】
従来、熱変色性インキを用いて紙面に筆記した筆跡を、摩擦した際の摩擦熱で熱変色させる摩擦体付の熱変色性筆記具は知られており、例えば特許文献１には、可逆熱変色性インキを内蔵させた筆記具の軸筒の後端部や筆記具用キャップの頂部に摩擦体を設けた構造が記載されており、筆記具で筆記した熱変色性インキによる筆跡を、その筆記具に設けた摩擦体で熱変色する構造が開示されている。
この熱変色性筆記具は、非常に便利な性質を有しており、筆記具で紙に筆記した筆跡を、同じく筆記具に設けた摩擦部で摩擦して消色させることができるものが実際に製品化され、幅広い利用者層で満足されている。
【０００３】
ところで、熱変色性筆記具では、ペン先で筆記を行っている状態で軸筒を持ち替えることなく消したい筆跡を消色できるものが求められるようになってきている。
特許文献２には、筆記具の軸筒の前端部に摩擦部を設けた熱変色性筆記具が記載されており、操作部を操作して突出状態にあるペン先を没入状態にすることで、ペン先に邪魔されることなく、摩擦部にて摩擦を行うことができる熱変色性筆記具が記載されている。
この熱変色性筆記具は、ペン先と同じ方向にある摩擦部で摩擦を行えることから、摩擦する際に軸筒を反転させる動作を必要としないものの、摩擦をする際には、操作部を操作してペン先を没入させ、摩擦が終わり筆記を行いたい際には、操作部を操作してペン先を突出させる必要があることから、筆記を行いながら、ほんの少しだけ間違った箇所を瞬間的に消したい場合には、その操作が煩わしいものである。
【０００４】
また、特許文献３には、軸筒の前方の口先部材を摩擦体とした熱変色性筆記具が記載されており、口先部材の一部に前方へ突出した突出部を設けることで、ペン先が軸筒の先端から突出した状態でも、摩擦を行うことができる熱変色性筆記具が記載されている。
この熱変色性筆記具は、ペン先と同じ方向にある摩擦部で摩擦が行えることから、前記特許文献２の熱変色性筆記具と同様に、摩擦をする際に軸筒を反転させるような動作を行う必要がないものの、摩擦をする際には、ペン先が下側（紙面側）で筆記を行っていた状態から、筆記具を軸筒の軸周りに回転させるか、腕や手首の角度を変化させて口先部材の突出部が紙面に接触できるようにし、摩擦が終わり筆記を行いたい場合には、再度、筆記具を軸筒の軸周りに回転させるか、腕や手首の角度を変化させてペン先が紙面に接触できるように調整する必要があることから、筆記を行いながら、ほんの少しだけ間違った箇所を瞬間的に消したい時には、前記特許文献２の熱変色性筆記具と同様にその操作が煩わしいものである。
また、摩擦部となる突出部が常に突出していることから、ペン先による筆記時に誤って突出部が筆記面に接触して筆跡を消してしまう虞がある。
【先行技術文献】
【特許文献】
【０００５】
【特許文献１】特開２００４−１４８７４４号公報
【特許文献２】特開２０１３−２８１７６号公報
【特許文献３】特開２０１５−３６１９２号公報
【発明の概要】
【発明が解決しようとする課題】
【０００６】
本発明は、上記問題を鑑みて、筆記状態にある軸筒の向きを変えることなく、摩擦体を簡単に使用できる状態にすることが可能な熱変色性筆記具を得ることを目的とする。
【課題を解決するための手段】
【０００７】
本発明は、
「１．軸筒の内部に筆記体が収容され、前記筆記体の内部に熱変色性インキが収容され、前記筆記体の前端に熱変色性インキが吐出可能なペン先を備えた熱変色性筆記具であって、
前記軸筒の内部に、前記熱変色性インキの筆跡を摩擦しその際に生じる摩擦熱で該筆跡を熱変色可能な弾性材料からなる摩擦部を前方に有したスライダーが前後動可能に配設され、
前記スライダーが前記軸筒の内部に配設した弾発体により後方へ弾発され、
前記軸筒の前方の側面に設けられた窓部より突出するよう押圧体が装着され、
前記軸筒の側面から突出した前記押圧体の外面を該軸筒の側面方向へ向かって押圧することにより、該押圧体で押圧された前記スライダーが前記弾発体の弾発力に抗して前進し、前記摩擦部が前記軸筒の前方へ突出することを特徴とした熱変色性筆記具。
２．前記スライダーに、前記摩擦部を前方に設けた連結杆が設けられ、
前記連結杆の巾が前記摩擦体の巾と略等しく形成され、
前記軸筒の前方が漸次縮径する斜面を有した先窄み形状であり、該軸筒の前方に前記摩擦部が係合する溝部が形成され、
前記押圧体を押圧することにより、前記摩擦部及び前記連結杆が前記溝部の内側面及び内天面に摺動して前進し、前記摩擦部が前記軸筒の前方へ突出した状態で、前記スライダーの連結杆が前記軸筒の溝部の内側面及び内天面に当接することを特徴とした前記１項に記載の熱変色性筆記具。
３．前記摩擦部により前記熱変色性インキの筆跡を摩擦する際において、前記摩擦部の裏面が前記軸筒の前方の側面に当接して該摩擦部が支持されるよう、前記連結杆が弾性変形することを特徴とした前記２項に記載の熱変色性筆記具。」である。
【０００８】
スライダーの前方に設ける摩擦部は、スライダーと別体で形成した摩擦体に設けてもよく、スライダーと一体に形成してもよい。
摩擦部を、スライダーと別体で形成する場合には、その摩擦部を設ける摩擦体の材質として、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）など、低摩耗性の弾性材料で成形することが好適であり、その摩擦体を前方に取り付けるスライダーは、材質が限定されるものではないが、ＰＯＭ、ＰＢＴ、ＰＥ、フッ素系樹脂（ＦＥＰ、ＰＦＡ等）のような摺動性のよい樹脂、あるいはアルミや真鍮に表面処理（メッキやアルマイト等）を施した金属で形成することにより、軸筒内における摺動性が向上し、操作し易くなる。また、スライダーに対する摩擦体の取付方法は、特に限定されるものではないが、接着や嵌着、あるいは二色成形で固着するなどの方法がある。
摩擦部を、スライダーと一体で形成する場合には、スライダーの材質として、ＰＰ、ＰＥなどが好適であり、軸筒内におけるスライダーの摺動性を優先する場合には、ＰＯＭ、ＰＢＴ、ＰＥ、フッ素系樹脂（ＦＥＰ、ＰＦＡ等）などの滑り性のよい樹脂が好ましく、摩擦部の摩擦による摩擦熱を発生し易くする場合には、ＰＰ、ＰＥなどの摩擦による摩擦熱が発生し易い樹脂が好ましい。
【０００９】
軸筒の側面から突出した押圧体の外面を該軸筒の側面方向に向かって押圧することにより、該押圧体で押圧されたスライダーが弾発体の弾発力に抗して前進する構造としては、押圧されることで軸筒に対して上下動するよう押圧体を該軸筒に係止させ、押圧体またはスライダーのいずれかに斜面を設け、押圧された押圧体がスライダーに当接することで前記斜面にて該スライダーを前進させる構成、あるいは押圧されることで軸筒に対して回動するよう押圧体を該軸筒に係止させ、押圧された押圧体がスライダーに当接することで該スライダーを前進させる構成などがあげられる。
【００１０】
第１の発明では、摩擦部を使用しないときには摩擦部が後退状態にあることから、ペン先による筆記を摩擦部が邪魔することはない。
また、摩擦時において、スライダーを後方へ押し戻すような力が働く場合でも、押圧体を押圧する力が軸筒を把持する力と同じ向きになることから、結果、スライダーを突出状態で維持させるロック機構は必要とせず、筆記状態にある軸筒の向きを変えることなく、摩擦をしたい時だけ、摩擦部を簡単に使用可能な状態にすることが可能となる。
【００１１】
さらに第２の発明では、摩擦部の非使用時において、軸筒の前方に設けた溝部に摩擦部が係合することで、摩擦部が軸筒と一体的になり、外部に露出する部分が減って摩擦部の汚れ防止の効果が得られ、また摩擦部が軸筒と一体になることからデザイン的にも優れたものとなる。
また、摩擦部を前進させた状態においては、連結杆が、軸筒の溝部の内側面及び内天面に当接することにより動きが規制され、摩擦時に摩擦部が揺れ動くことを防止でき摩擦し易くなる。
【００１２】
さらに第３の発明では、摩擦時に、スライダーの連結杆が弾性変形して摩擦部の裏面が軸筒の前方の側面に当接することで、摩擦部がスライダーだけでなく軸筒の側面でも支持されることから、摩擦部が軟らかく変形し易いものであっても紙面等に対して摩擦力が働き、摩擦熱を発生し易くなる。
この場合のスライダーは、ＰＰ、ＰＥ、フッ素系樹脂（ＦＥＰ、ＰＦＡ等）などの弾性変形し易い樹脂で形成することが好ましい。
【発明の効果】
【００１３】
本発明の熱変色性筆記具によれば、筆記状態にある軸筒の向きを変えることなく、摩擦体を簡単に使用することが可能な熱変色性筆記具を得ることが可能となる。
【図面の簡単な説明】
【００１４】
【図１】第一実施形態の熱変色性筆記具の外観図である。
【図２】第一実施形態の熱変色性筆記具の一部断面図である。
【図３】第一実施形態の熱変色性筆記具の縦断面図である。
【図４】押圧体の外観図である。
【図５】スライダーの外観図である。
【図６】軸筒の前方内面を示す断面図である。
【図７】第一実施形態の熱変色性筆記具のスライダーを前進させた状態の一部断面図である。
【図８】摩擦体を使用している状態の側面図である。
【図９】摩擦体を使用している状態の斜視図である。
【図１０】第二実施形態の熱変色性筆記具の外観図である。
【図１１】第二実施形態の熱変色性筆記具の一部断面図である。
【図１２】第二実施形態の熱変色性筆記具のスライダーを前進させた状態の一部断面図である。
【発明を実施するための形態】
【００１５】
図１から図９を用いて、第一実施形態の熱変色性筆記具について説明を行う。
本実施の形態の熱変色性筆記具１は、軸筒２と、該軸筒２内に収容される筆記体３と、軸筒２の外面より径方向外方へ突出する操作部４１を備え且つ該軸筒２内に一部が収容される操作体４と、該操作体４を前方へスライド操作することにより前記筆記体３のペン先３１を軸筒２の前端孔２ａより出没自在にさせる出没機構とを備える。
【００１６】
前記筆記体３は、ペン先３１と、該ペン先３１が前端開口部に圧入固着されたインキ収容管３２と、該インキ収容管３２内に充填される熱変色性インキ（図示せず）と、該熱変色性インキの後端に充填され且つ該熱変色性インキの消費に伴い前進する追従体（図示せず）とを備える。
【００１７】
前記ペン先３１は、例えば、前端に回転可能にボールを抱持した金属製のボールペンチップのみからなる構成、または前記ボールペンチップの後部外面を保持した合成樹脂製のペン先ホルダーからなる構成があげられる。また、前記インキ収容管３２の後端開口部に、インキ収容管３２と外部とが通気可能な通気孔を備えた尾栓３３が取り付けられる。
【００１８】
前記軸筒２は、外形が略六角形状の前方軸部２１ａと円筒形状の後方軸部２１ｂとを有した前軸２１と、該前軸２１の後端部に連結される円筒状の後軸２２とが、前軸２１の雌螺子２１ｃと後軸２２の雄螺子２２ａとで螺合されてなる。前記前軸２１の略六角形状の前方軸部２１ａの側面２３における上面２３ａには、窓部２４が形成される。
【００１９】
前記軸筒２の後端（後軸２２の後端）には、取付孔２ｂが貫設される。前記取付孔２ｂには、弾性材料からなる後部摩擦体５が圧入嵌合される。これにより、前記後軸２２の後端外面に後部摩擦体５が固定される。
【００２０】
前記後部摩擦体５は、軸筒２の後端面より後方へ突出され、後端に突出部５１が設けられる。前記後部摩擦体５の突出部５１の頂部は凸曲面状に形成される。
【００２１】
前記操作体４は、クリップを兼ねる。前記操作体４は、前後方向に延びるクリップ本体４２と、該クリップ本体４２の後部内面に一体に連設され且つ径方向に延びる基部４３と、該基部４３と一体に連設され且つ基部４３より前方に延びる軸部４４とからなる。該操作体４は、軸筒２の側面に形成した摺動溝２ｃに、前後動可能に装着される。
前記操作体４は、合成樹脂の成形体により得られる。前記軸部４４の外周には固定カム６が装着され、該軸部４４の前端には回転カム７が装着され、軸筒２の内面のカム溝（図示せず）とで出没機構が構成される。
【００２２】
前記出没機構は、回転カム機構を用いたサイドスライド式出没機構である。
本実施の形態の出没機構は、ペン先突出操作及びペン先没入操作のいずれもが操作体４を前方へスライド操作することで作動するダブルノック式である。筆記体３のペン先３１を軸筒２の前端孔２ａより突出させる際には、前記軸筒２内に収容され且つ筆記体３を後方に付勢する弾発体８（例えば、圧縮コイルスプリング）を圧縮させるように操作体４を前進させ、ペン先３１を軸筒２の前端孔２ａに没入させる際には、弾発体８の弾発力により、筆記体３を後退させるよう、操作体４を再度前方へスライド操作する。
【００２３】
本実施の形態において、前記後部摩擦体５を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等があげられる。前記摩擦体５を構成する弾性を有する合成樹脂は、高摩耗性の弾性材料（例えば、消しゴム等）ではなく、摩擦時に摩耗カス（消しカス）が殆ど生じない低摩耗性の弾性材料である。
【００２４】
前記前軸２１の窓部２４には、押圧体９が軸径方向に上下動可能に装着される。
押圧体９は、窓部２４に取り付けられた状態で前軸２１から脱落せぬよう、二つの側壁９ａの外面下方に複数の突起９ｂ（図４参照）を形成して前軸２１の内面に係止される。また、押圧体９の内面にはＵ字形状の凹部９ｃを形成してあり、前記筆記体３のインキ収容管３２が凹部９ｃ内を前後動できるようにして、押圧体９がペン先３１の出没動作を妨げないようにしてある。
【００２５】
前記前軸２１の内部には、前記筆記体３を挿通させたスライダー１０が収容されている。
前記スライダー１０は、筆記体３のインキ収容管３２を挿通させる貫通孔１０ａを設けた筒部１０ｂを有し、該筒部１０ｂに、前方から後方へ向かって上方から下方へ傾斜する二つの並行した斜面１０ｃを備える（図５参照）。二つの斜面１０ｃは、前記押圧体９の側壁９ａに当接される間隔で形成されており、前軸２１の上面２３ａから突出した押圧体９の上面９ｄを軸筒２の上面２３ａ方向へ向かって押圧することにより、該側壁９ａの前方下端部９ｅが前記スライダー１０の二つの斜面１０ｃを押動して、該スライダー１０が前進される。
【００２６】
前記スライダー１０の筒部１０ｂの前方には、連結杆１０ｄにより該スライダー１０の前方に連結された摩擦体３０を備える。摩擦体３０は、連結杆１０ｄの先端に形成された細巾部１０ｅを、摩擦体３０に設けた挿着溝３０ａに挿着して、抜け止め状態に固着してある（図３及び図５参照）。
本実施形態において、前記摩擦体３０を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等があげられる。前記摩擦体３０を構成する弾性を有する合成樹脂は、高摩耗性の弾性材料（例えば、消しゴム等）ではなく、摩擦時に摩耗カス（消しカス）が殆ど生じない低摩耗性の弾性材料であり、摩擦体３０の前方の摩擦部３０ｂにて、熱変色性インキによる筆跡を摩擦することで、摩擦熱を発生して筆跡を消色することができる。
本実施形態では摩擦体３０の表面を摩擦部３０ｂとしてある。
【００２７】
前記押圧体９の上面９ｄを軸筒２の上面２３ａ方向へ向かって押圧した際には、押圧体９の上面９ｄが前軸２１の窓部２４へ向かって下降しながら、前記スライダー１０が前軸２１の内部に配設したコイルスプリング４０の弾発力に抗して前進して、連結杆１０ｄの先端に設けられた摩擦体３０が突出されることとなり、押圧体９の押圧を解除した際には、コイルスプリング４０の弾発力でスライダー１０が後退し、押圧体９の側壁９ａの前方下端部９ｅがスライダー１０の斜面１０ｃを摺動して押圧体９の上面９ｄが上昇し、摩擦体３０が後退した状態となり、ペン先３１による筆記が摩擦体３０（摩擦部３０ｂ）で邪魔されることなく行うことが可能となる。
【００２８】
前述の通り、本実施形態の熱変色性筆記具１は、押圧体９を、軸筒２の上面２３ａ方向へ向かって（図７に示す矢印Ｙ方向）押圧することで、スライダー１０が前進して摩擦体３０が突出する構造であることから、摩擦時において、摩擦体３０を介してスライダー１０に後退する力が働く場合においても、軸筒２の前軸２１を把持する力の方向と同方向の力でスライダー１０を前進させた状態で維持することが可能となり、筆記状態にある軸筒２の向きを変えることなく、ペン先３１が突出した状態であっても、ほんの少しだけ間違った箇所を瞬間的に消すことができ、操作性に優れる。
また、本実施形態では、前軸２１の前方軸部２１ａの外形を略六角形状としたことで、軸筒２の内部に筆記体３やスライダー１０及び押圧体９の一部などの複数の部材が収納された構造であっても、外形を円形にしたものと比較して好適にその外形寸法を抑えることが可能となり、軸筒２を把持し易いものとなる。さらに、外形を多角形状としたことで、軸筒２の表面とのデザイン性を維持して摩擦体３０の表面に平面を形成することができ、その側端には角部を設けることができ、広い面と狭い面とを効率よく摩擦することが可能な摩擦体３０が得られる。
【００２９】
本実施形態におけるスライダー１０の連結杆１０ｄは、その巾が、前記摩擦体３０の巾と略等しく形成されており、前記軸筒２の前方を漸次縮径する斜面を有した先窄み形状に形成され、該軸筒２の前方に前記摩擦体３０が係合する溝部２ｄが形成され、摩擦体３０及び前記連結杆１０ｄが溝部２ｄの内側面２ｅ及び内天面２ｆに摺動して前進した際には、スライダー１０の連結杆１０ｄが軸筒２の溝部２ｄの内側面２ｅ及び内天面２ｆに当接する。
本実施形態の熱変色性筆記具１は、軸筒２の前方に設けた溝部２ｄに対して摩擦体３０が係合することから、摩擦体３０が後退した状態においては、摩擦体３０が軸筒２と一体的になり、筆記時において筆記面に摩擦部３０ｂが触れ難く、摩擦部３０ｂの汚れ防止がなされ、ペン先３１による筆記時に誤って摩擦部３０ｂが筆記面に接触して筆跡を消してしまうことがなく、デザイン的にも優れたものとなる。
また、摩擦体３０を前進させた状態においては、スライダー１０の連結杆１０ｄが、軸筒２の溝部２ｄの内側面２ｅ及び内天面２ｆに当接することにより該連結杆１０ｄの動きが規制され、摩擦時に、摩擦部３０ｂが揺れ動くことが防止され、摩擦し易くなる。
【００３０】
また、図８及び図９に示すように、摩擦体３０により熱変色性インキの筆跡を摩擦する際においては、摩擦体３０の裏面３０ｃが軸筒２の前方の側面２３に当接して該摩擦体３０が支持されるよう、連結杆１０ｄが弾性変形することから、摩擦体３０がスライダー１０だけでなく軸筒２の側面２３でも支持されるようになり、摩擦体３０が軟らかく変形し易いものであっても、摩擦体３０の裏面３０ｃが軸筒２の側面２３に当接することで、摩擦体３０の変形が防止され、紙面等に対して強く摩擦力を働かせることができ、摩擦熱を発生し易くなる。
【００３１】
次に図１０から図１２を用いて、第二実施形態の熱変色性筆記具について説明を行う。
本実施形態の熱変色性筆記具１００は、前軸２１の窓部２４に、押圧体１０９が回動可能に装着される点を除き、前記熱変色性筆記具１と同様である。
【００３２】
本実施形態の押圧体１０９は、窓部２４に取り付けられた状態で前軸２１から脱落しないよう、前軸２１の前方に形成した二つの凸部１０９ａ、１０９ｂの間の凹部１０９ｃが、窓部２４の前方部に位置する前軸２１の上面２３ａに係止され、回動可能に軸支されており、前記第一実施形態の押圧体９と同様に、内面にＵ字形状の凹部（図示せず）を形成してあり、前記筆記体３のインキ収容管３２が凹部内を前後動できるようにして、押圧体１０９がペン先３１の出没動作を妨げないようにしてある。
また、前記押圧体１０９は、窓部２４に取り付けられた状態で、コイルスプリング４０により後方へ向かって弾発されたスライダー１０が、前方から後方へ向かい上方から下方へ向かって傾斜する二つの並行した斜面１０ｃを、前軸２１に収容した押圧体１０９の内部凸部１０９ｄの前面に当接させると共に、該内部凸部１０９ｄの後面が窓部２４の後方部に位置する前軸２１の上面２３ａに当接することで、当該内部凸部１０９ｄの動きが規制されると共に、押圧体１０９が前軸２１から脱落しないようにしてある。
【００３３】
本実施形態の熱変色性筆記具１００は、前軸２１の上面２３ａから突出した押圧体１０９の外部凸部１０９ｅを、軸筒２の上面２３ａ方向へ向かって（図１２に示す矢印Ｒ方向）押圧することで、該押圧体１０９に突設された内部凸部１０９ｄがスライダー１０の斜面１０ｃを押動して、スライダー１０がコイルスプリング４０を圧縮しながら前進して摩擦体３０が突出することから、摩擦時において、摩擦体３０を介してスライダー１０に後退する力が働く場合においても、前記実施形態１の熱変色性筆記具１と同様に、軸筒２の前軸２１を把持する力の方向と同方向の力でスライダー１０を前進させた状態で維持することが可能となり、筆記状態にある軸筒２の向きを変えることなく、ペン先３１が突出した状態であっても、ほんの少しだけ間違った箇所を瞬間的に消すことができ、操作性に優れる。
また、押圧体１０９の押圧を解除した際には、コイルスプリング４０の弾発力でスライダー１０が後退し、押圧体１０９の内部突部１０９ｄがスライダー１０の斜面１０ｃを摺動して該押圧体１０９の外部突起１０９ｅが上昇し、摩擦体３０が後退した状態となり、摩擦体３０（摩擦部３０ｂ）で邪魔されることなくペン先３１による筆記を行うことが可能となる。
【符号の説明】
【００３４】
１，１００…熱変色性筆記具、
２…軸筒、２ａ…前端孔、２ｂ…取付孔、２ｃ…摺動溝、２ｄ…溝部、２ｅ…内側壁、２ｆ…内天面、
２１…前軸、２１ａ…前方軸部、２１ｂ…後方軸部、２１ｃ…雌螺子、
２２…後軸、２２ａ…雌螺子、
２３…側面、２３ａ…上面、
２４…窓部、
３…筆記体、３１…ペン先、３２…インキ収容管、３３…尾栓、
４…操作体、４１…操作部、４２…クリップ本体、４３…基部、４４…軸部、
５…後部摩擦体、５１…突出部、
６…固定カム、
７…回転カム、
８…弾発体、
９…押圧体、９ａ…側壁、９ｂ…突起、９ｃ…凹部、９ｄ…上面、９ｅ…前方下端部、
１０９…押圧体、１０９ａ，１０９ｂ…凸部、１０９ｃ…凹部、１０９ｄ…内部凸部、
１０９ｅ…外部凸部、
１０…スライダー、１０ａ…貫通孔、１０ｂ…筒部、１０ｃ…斜面、１０ｄ…連結杆、１０ｅ…細巾部、
３０…摩擦体、３０ａ…挿着溝、３０ｂ…摩擦部、３０ｃ…裏面、
４０…コイルスプリング。
【図１】
2019116061.tif 000003
【図２】
2019116061.tif 000004
【図３】
2019116061.tif 000005
【図４】
2019116061.tif 000006
【図５】
2019116061.tif 000007
【図６】
2019116061.tif 000008
【図７】
2019116061.tif 000009
【図８】
2019116061.tif 000010
【図９】
2019116061.tif 000011
【図１０】
2019116061.tif 000012
【図１１】
2019116061.tif 000013
【図１２】
2019116061.tif 000014